(57)【要約】【課題】  青色ＬＥＤを含むＬＥＤ防犯灯において、防犯効果に加えて、雨天や霧の中でも視認性を高める。【解決手段】黄色光を発光する複数の黄色ＬＥＤ１と、青色光を発光する複数の青色ＬＥＤ２とを有する光源と、光源の黄色ＬＥＤ１と青色ＬＥＤ２を個別に点灯可能とした点灯装置３、４と、予め設定された所定時刻になると点灯装置３、４に動作信号を出力するタイマー５と、を備え、点灯装置３、４は、タイマー５の動作前は光源の黄色ＬＥＤ１と青色ＬＥＤ２を同時に点灯させ、タイマー動作信号の入力時には黄色ＬＥＤ１を消灯し青色ＬＥＤ２のみ点灯させる。【選択図】  図７
2014017188.tif 000002
【特許請求の範囲】
【請求項１】
黄色光を発光する複数の黄色ＬＥＤと、青色光を発光する複数の青色ＬＥＤとを有する光源と、
前記光源の黄色ＬＥＤと青色ＬＥＤを個別に点灯可能とした点灯装置と、
予め設定された所定時刻になると前記点灯回路に動作信号を出力するタイマーと、
を備え、
前記点灯装置は、前記タイマーの動作前は前記光源の黄色ＬＥＤと青色ＬＥＤを同時に点灯させ、タイマー動作信号の入力時には前記黄色ＬＥＤを消灯し青色ＬＥＤのみ点灯させることを特徴とする防犯灯。
【請求項２】
黄色光を発光する複数の黄色ＬＥＤと、青色光を発光する複数の青色ＬＥＤとを有する光源と、
前記光源の黄色ＬＥＤと青色ＬＥＤを個別に点灯可能にした点灯装置と、
予め設定された所定時刻になると前記点灯回路に動作信号を出力するタイマーと、
降雨時に降雨量を検出して検出信号を出力する降雨センサと、
を備え、
前記点灯装置は、前記タイマーの動作前は前記光源の黄色ＬＥＤと青色ＬＥＤを同時に点灯させるとともにタイマー動作信号の入力時には前記黄色ＬＥＤを消灯し青色ＬＥＤのみ点灯させ、前記黄色ＬＥＤと青色ＬＥＤの点灯時に降雨センサからの検出信号が入力すると前記青色ＬＥＤの発光を降雨量に応じて調光することを特徴とする防犯灯。
【請求項３】
黄色光を発光する複数の黄色ＬＥＤと、青色光を発光する複数の青色ＬＥＤとを有する光源と、
前記光源の黄色ＬＥＤと青色ＬＥＤを個別に点灯可能にした点灯装置と、
予め設定された所定時刻になると前記点灯回路に動作信号を出力するタイマーと、
降雨時に降雨量を検出して検出信号を出力する降雨センサと、
を備え、
前記点灯装置は、前記タイマーの動作前は前記光源の黄色ＬＥＤと青色ＬＥＤを同時に点灯させるとともにタイマー動作信号の入力時には前記黄色ＬＥＤを消灯し青色ＬＥＤのみ点灯させ、青色ＬＥＤ点灯時に前記降雨センサからの検出信号が入力すると前記黄色ＬＥＤを再点灯させるとともに青色ＬＥＤ及び黄色ＬＥＤの発光を降雨量に応じてそれぞれ調光することを特徴とする防犯灯。
【請求項４】
前記タイマーは、夜間の人通りが少なくなる時刻に動作信号を出力するよう予め設定されていることを特徴とする請求項１から３のいずれかに記載の防犯灯。
【請求項５】
前記光源は、前記黄色ＬＥＤと前記青色ＬＥＤを交互に隣接して配置されていることを特徴とする請求項１から４のいずれかに記載の防犯灯。
【請求項６】
照度センサを有し、前記点灯装置は照度センサからの検出信号に基づいて前記光源を点灯することを特徴とする請求項１から５のいずれかに記載の防犯灯。
【発明の詳細な説明】
【技術分野】
【０００１】
本発明は、黄色ＬＥＤと青色ＬＥＤを組み合わせて光源とした防犯灯に関するものである。
【背景技術】
【０００２】
人を検知して検知結果を出力する人感センサを備え、この人感センサが反応すると青色ＬＥＤが点灯して防犯効果が得られるという技術がある。（例えば、特許文献１参照。）
【先行技術文献】
【特許文献】
【０００３】
【特許文献１】特開２００８−３０５７６８号公報
【発明の概要】
【発明が解決しようとする課題】
【０００４】
しかしながら、波長の短い青色光は一般に街灯に用いられている白色光に比して、雨天や霧の中では極度に視認性が低下する。また、街灯に多く用いられる白色蛍光灯を同ワット数の青色蛍光灯に置き換えると、全光束は１/２〜１/５に低下する。このため、防犯カメラの効果が損なわれる可能性が高く、交通事故等の発生を助長する危険性があり、安易な設置には慎重を期する必要があるという課題があった。
【０００５】
本発明は、青色LEDを光源に含む防犯灯において、雨天や霧の中でも視認性を高めることを目的とする。
【課題を解決するための手段】
【０００６】
本発明の防犯灯は、黄色光を発光する複数の黄色ＬＥＤと、青色光を発光する複数の青色ＬＥＤとを有する光源と、
前記光源の黄色ＬＥＤと青色ＬＥＤを個別に点灯可能とした点灯装置と、
予め設定された所定時刻になると前記点灯回路に動作信号を出力するタイマーと、
を備え、
前記点灯装置は、前記タイマーの動作前は前記光源の黄色ＬＥＤと青色ＬＥＤを同時に点灯させ、タイマー動作信号の入力時には前記黄色ＬＥＤを消灯し青色ＬＥＤのみ点灯させることを特徴とする。
【発明の効果】
【０００７】
本発明によれば、青色ＬＥＤを含むＬＥＤ防犯灯において、防犯効果に加えて、雨天や霧の中でも視認性を高めることができる。
【図面の簡単な説明】
【０００８】
【図１】実施の形態１の防犯灯を示す下面図である。
【図２】実施の形態１の防犯灯の配線図である。
【図３】実施の形態１の防犯灯を示す上面図である。
【図４】実施の形態１の降雨センサの電極パターン図である。
【図５】図１の側断面図である。
【図６】実施の形態１の防犯灯の構成を示すブロック図である。
【図７】実施の形態１の防犯灯の動作状態を示すタイムチャートである。
【図８】実施の形態１のタイマー動作後における雨量と調光率の関係を示す図である。
【図９】実施の形態１のタイマー動作前における雨量と調光率の関係を示す図である。
【発明を実施するための形態】
【０００９】
実施の形態１．
図１は、本実施の形態を示す防犯灯の下面図である。
【００１０】
防犯灯は、上面形状が楕円形をなし、一端に支柱等への取付部１１を有する本体１００と、この本体の下面に設けられた黄色を発光する複数の黄色ＬＥＤ１と青色を発光する複数の青色ＬＥＤ２を有する光源としてのＬＥＤモジュール７と、本体内部に設けられたＬＥＤモジュール７の点灯装置３、４を含む制御部８と、同じくタイマー５と、本体上面に設けられた降雨センサ６と、同じく照度センサ１７を備える。
【００１１】
放熱板９は、黄色ＬＥＤと青色ＬＥＤ２の熱が外部に放熱できるように、ＬＥＤモジュール７と一体的に設けられ、熱伝導率の良い例えばアルミで形成されている。
【００１２】
黄色ＬＥＤ１と、青色ＬＥＤ２はそれぞれ異なる調光率で点灯する回路を有する点灯装置３、４を備える。
【００１３】
照度センサ１７は、本体が設置された周囲の明るさを検知して点灯装置３と点灯装置４に電気的な信号を送信し、光源の点灯、消灯動作を行う。
【００１４】
降雨センサ６は、空中に露出した、相対する雨滴検知用電極を設けて、電極間に雨滴が付着した際に電極間が短絡することを利用して降雨量を判断し、点灯装置３、４に電気的に信号を送信する。
【００１５】
タイマー５は、夜間に人通りが少なくなる時間帯、例えば終電後や、労働基準法で定められる深夜業の時間帯である２２時になると、点灯装置３、４に電気的な動作信号を送信する。
【００１６】
図２は、本実施の形態のＬＥＤモジュール７の配線図である。
【００１７】
黄色ＬＥＤ１は、プラス側端子１５にアノード方向を向けてマイナス端子側１６との間に直列に、例えば８個接続される。
【００１８】
青色ＬＥＤ２は、プラス側端子１５にアノード方向を向けてマイナス側端子１６との間に直列に、例えば８個接続される。
【００１９】
それぞれ異なる色の複数のＬＥＤは、防犯灯の光に偏りが出ないように交互に隣接して配置する。
【００２０】
降雨センサ６は、図３〜図５に示すように、本体上面の内部に傾斜して配設するとともに降雨センサ６の表面に、ホコリや枯れ葉などのゴミの付着を予防するために、網１８を設ける。網１８は、網１８自体に上記物体が付着しないよう、傾斜をつけて設置する。
【００２１】
図４は、降雨センサの電極パターン図である。
【００２２】
降雨センサ６は、例えば櫛歯状をしたプラス極１９とマイナス極２０を組み合わせたものから構成され、それぞれある一定の抵抗値を持っている。そして、その表面に降雨により水滴がつくと、プラス極１９とマイナス極２０が短絡され、微量の電流が流れる。
【００２３】
電極間の短絡量が多い場合には、抵抗値が少なくなり、電流が多く流れる。したがって、電流が多く流れた場合には雨量が多いと判断することができる。
【００２４】
降雨センサ６からの電気的な信号は、防犯灯の点灯装置３、４に、配線１３により送られる。配線１３は、降雨センサのセンサ部に被らないように背面に接続され、通路１２を経て点灯装置３、４に接続され、かつ通路１２の入口に水滴が入らないようにキャップ１４を備える。
【００２５】
降雨センサ６は、水滴に反応して信号を点灯回路３、４に送信するため、晴天時でも水滴が残っていると誤作動してしまう。したがって、電極表面に水滴がたまらないように傾斜をつけて設置し、最下端部に対向して水滴を本体外部に排出する排水孔１０を設けている。
【００２６】
図６は、実施の形態１の防犯灯の構成を示すブロック図である。
【００２７】
黄色１は点灯装置３により、青色２は点灯装置４により点灯と調光、及び消灯が制御される。
【００２８】
降雨センサ６で検知した信号と、タイマー５からの動作信号、及び照度センサ１７からの信号は、それぞれの点灯装置３、４に送信される。
【００２９】
図７は、実施の形態１の防犯灯の動作を示すタイムチャートである。以下、図７に基づいて動作を説明する。
【００３０】
時刻が１８時になり、照度センサ１７が周囲の明るさに対応して所定の信号を点灯装置３、４に出力すると、点灯装置が光源を点灯する。点灯直後から夜間の人通りの多い時間帯は、照度が必要になるため、黄色ＬＥＤ１と青色ＬＥＤ２を同時に点灯させて、黄色と青色の混色である白色を発光させる。
【００３１】
その後、時刻が２２時になると、タイマー５が動作信号を出力して、点灯装置３、４に入力される。すなわち、この時刻以後は夜間の人通りが少ない時間帯として、点灯装置３が黄色ＬＥＤ１を消灯し、点灯装置４が青色ＬＥＤ２だけ点灯を継続する。青色には人の副交感神経に作用して気持ちを落ち着かせるという鎮静効果と心理的に人を冷静にさせる効果があることが知られており、夜間の人通りが少ない時間帯において、防犯灯の発光色を青色にすることで、防犯効果が期待できる。その後、時間が経過し、周囲が明るくなると、照度センサ１７が動作して点灯装置４が青色ＬＥＤ２を消灯させる。
【００３２】
一方、夜間の人通りが多い時間帯、つまり黄色ＬＥＤ１と青色ＬＥＤ２が同時に点灯している時間帯に降雨があると、降雨センサ６が点灯装置３、４へ降雨量に応じた検出信号を出力し、点灯装置２、３は黄色ＬＥＤ１をそのまま点灯させるとともに、青色ＬＥＤ２を調光して点灯させて、降雨時の視界を確保する。
【００３３】
降雨時において、青色ＬＥＤ２が発光する青色は、雨に対して乱反射するため、視界が悪化し、降雨量が次第に増して例えば傘をさしていても濡れてしまう程度の降雨量になるとさらに悪化する。そこで、図８に示すように、青色ＬＥＤ２の調光率を、降雨が検出される前を１００％とし、一般的に傘をさしていても濡れる降雨量といわれる１時間降雨量が２０ｍｍになったときに０％となるように設定している。すなわち、青色ＬＥＤ２は、降雨が検出され、しかも降雨量が増すにつれて次第に明るさが減ずるように連続調光される。
【００３４】
また、夜間の人通りが少ない時間帯、すなわち、タイマー５が動作して黄色ＬＥＤ１が消灯し、青色ＬＥＤ２だけが点灯している時間帯において、降雨が検出されると、点灯装置３が降雨センサ６からの出力により、すでに消灯していた黄色ＬＥＤ１を再度点灯して調光させ、同時に、点灯装置４が点灯中の青色ＬＥＤ２を調光点灯させる。すなわち、黄色ＬＥＤ１と青色ＬＥＤ２の降雨量に対する調光率は、図８に示すように、降雨が検出されたときから降雨量が２０ｍｍに達するまでの間、黄色ＬＥＤ１は次第に明るさが増すように調光され、一方、青色ＬＥＤ２は逆に次第に明るさを減ずるように連続調光される。これにより、夜間における降雨時の視界が確保できるとともに、同時に黄色ＬＥＤ１の点灯により防犯灯としての明るさを確保することができる。
【符号の説明】
【００３５】
１  黄色ＬＥＤ、２  青色ＬＥＤ、３  黄色ＬＥＤの点灯装置、４  青色ＬＥＤの点灯装置、５  タイマー、６  降雨センサ、７  ＬＥＤモジュール、８  制御部、９  放熱板、１０  排水孔、１１  取付部、１２  通路、１３  配線、１４  キャップ、１５  プラス側端子、１６  マイナス側端子、１７  照度センサ、１８  網、１９  パターンプラス極、２０  パターンマイナス極、１００  本体。
【図１】
2014017188.tif 000003
【図２】
2014017188.tif 000004
【図３】
2014017188.tif 000005
【図４】
2014017188.tif 000006
【図５】
2014017188.tif 000007
【図６】
2014017188.tif 000008
【図７】
2014017188.tif 000009
【図８】
2014017188.tif 000010
【図９】
2014017188.tif 000011